(57)【要約】【課題】空気ボンベ背負い具の着用を容易にする。【解決手段】空気ボンベ背負い具１が空気ボンベ１００を取り付け可能なプレート部２と、プレート部２の両側縁部それぞれから側方へ延びる胴周りベルト部３とを有する。胴周りベルト部３は、プレート部２を横切る弾性変形可能な中央部分３０と、中央部分３０の両端部それぞれから側方へ延びる弾性変形可能な第１、第２側方部分３１，３２とを有する。中央部分３０は、背負い具着用者の背中に向かって凸となり、第１、第２側方部分３１，３２では背中に向かって凹となる板状材料３６を含む。中央部分３０の両端部近傍がプレート部２に摺動可能に当接し、第１、第２側方部分３１，３２にはプレート部２の両側縁部それぞれから延びる弾性部材２８の先端部分が取り付けられる。【選択図】      図３
2004330843.tif 000002
【特許請求の範囲】
【請求項１】
空気ボンベを取り付けて背負うことが可能であり上下方向に平行して延びる両側縁部を有するプレート部と、前記プレート部に取り付けられて前記両側縁部それぞれから前記プレート部の側方へ延びる胴周りベルト部とを有し、前記胴周りベルト部の先端部分どうしが取り外し可能に連結される空気ボンベ背負い具において、
前記胴周りベルト部が前記プレート部の前記両側縁部間を横切るように延びる弾性変形可能な中央部分と、前記中央部分の両端部それぞれから前記側方へ延びる弾性変形可能な第１、第２側方部分とを有し、これら中央部分と第１、第２側方部分とが前記背負い具着用者と向かい合う内面とその反対側の外面とを有し、前記中央部分は前記プレート部から前記着用者の背中に向かう方向に凸となる弧を画いて延びる中央板状材料を含み、前記第１、第２側方部分のそれぞれは前記中央板状材料につながり前記着用者の胴周りに向かって凹となる弧を画いて延びる第１、第２側方板状材料のそれぞれを含み、前記中央部分の前記両端部近傍の外面が前記プレート部における前記着用者と向かい合う内面側に前記ベルト部の延在する方向において摺動可能に当接するとともに、前記第１、第２側方部分それぞれの前記外面に前記プレート部の前記両側縁部それぞれから前記側方に向かって延びる弾性部材の先端部分が取り付けられていることを特徴とする前記背負い具。
【請求項２】
前記弾性部材が前記側方に向かって伸長されている請求項１記載の背負い具。
【請求項３】
前記中央板状材料と前記第１、第２側方板状材料とが、弾性変形可能な金属板状材料および弾性変形可能なプラスチック板状材料の少なくとも一方からなり、前記胴周りベルト部の長さ方向においてほぼＷ字形を成している請求項１または２記載の背負い具。
【請求項４】
前記胴周りベルト部が前記中央板状材料と、前記第１、第２側方板状材料と、これら板状材料を覆う柔軟な被覆材と、これら板状材料よりも幅の狭い長さ調節可能なベルトとからなる請求項１〜３のいずれかに記載の背負い具。
【請求項５】
前記中央板状材料と、前記第１、第２側方板状材料とがそれぞれ別体の板状材料からなり、前記中央板状材料の両端部においてこれら板状材料がこれらとは別体の連結部材を介してつなげられている請求項１〜４のいずれかに記載の背負い具。
【請求項６】
前記弾性部材が前記胴周りベルト部の延びる方向に長さ調節可能に形成されている請求項１〜５のいずれかに記載の背負い具。
【請求項７】
前記弾性部材が前記プレート部を横断して延びる一条の弾性帯で形成されている請求項１〜６のいずれかに記載の背負い具。
【発明の詳細な説明】
【０００１】
【発明の属する技術分野】
この発明は、空気呼吸器等において使用するのに好適な空気ボンベ背負い具に関する。
【０００２】
【従来の技術】
特開平９−２８５５５８号公報（特許文献１）に開示された空気呼吸器は、空気ボンベを取り付けるための背負い板を有し、その背負い板には、背負い板を横断して側方へ延びる布製のウエストベルトが取り付けられている。背負い板を背負った後にウエストベルトを空気呼吸器使用者の胴周りに沿って延ばし、ウエストベルト先端部のバックルを使用してその先端部どうしを連結することによって、空気呼吸器を着用することができる。
【０００３】
特開平５−１１２２９１号公報（特許文献２）には、潜水用浮力調整器が開示されている。この浮力調整器は、空気ボンベを取り付けて背負うための保持具と、その保持具から浮力調整器使用者の胴周り方向へ延びるウエストベルトとを有する。保持具はまた使用者の肩に掛けるショルダーストラップを有し、そのショルダーストラップの下端部がウエストベルトをほぼ水平な位置に保つことができるようにウエストベルトに連結されている。
【０００４】
【特許文献１】
特開平９−２８５５５８号公報
【特許文献２】
特開平５−１１２２９１号公報
【０００５】
【発明が解決しようとする課題】
特許文献１に記載の空気呼吸器は、これを着用しようとして背負い板を背中に当てるときに布製のベルトが背負い板から垂れ下がる。空気呼吸器の着用者は、肩掛けひもに腕を通してからその垂れ下がったベルトを持ち、そのベルトを胴周りにあてがいながら締める。ところが、この空気呼吸器では、肩掛けひもに腕を通しているときに、ベルトが背負い板と背中との間に入ってしまうことがあるから、ベルトを持とうとするときには、その所在を確認しなければならない。その確認作業は、空気呼吸器の着用に手間がかかることの一因になり、空気呼吸器を急いで着用したいというときの妨げになる。
【０００６】
また、特許文献２の浮力調整器では、肩から腹部に向かって延びるショルダーストラップの下端部がウエストベルトに連結されているから、ウエストベルトが保持具から垂れ下がることを防ぐことは可能である。しかし、この浮力調整器の場合にもまた、支持具を背中に当てようとするとき、ウエストベルトの先端部分が胴周りの側方や背後に隠れてその先端部分を見失い、浮力調整器を着用するときに手間のかかることがある。したがって、この場合もまた、その手間が浮力調整器を急いで着用したいというときの妨げになることがある。
【０００７】
この発明が課題とするところは、空気呼吸器等に使用される従来の空気ボンベ背負い具に対して、それを速やかに着用することができるように改良を施すことにある。
【０００８】
【課題を解決するための手段】
前記課題解決のためにこの発明が対象とするのは、空気ボンベを取り付けて背負うことが可能であり上下方向に平行して延びる両側縁部を有するプレート部と、前記プレート部に取り付けられて前記両側縁部それぞれから前記プレート部の側方へ延びる胴周りベルト部とを有し、前記胴周りベルト部の先端部分どうしが取り外し可能に連結される空気ボンベ背負い具である。
【０００９】
かかる空気ボンベ背負い具において、この発明が特徴とするところは、次のとおりである。前記胴周りベルト部は、前記プレート部の前記両側縁部間を横切るように延びる弾性変形可能な中央部分と、前記中央部分の両端部それぞれから前記側方へ延びる弾性変形可能な第１、第２側方部分とを有する。これら中央部分と第１、第２側方部分とが前記背負い具着用者と向かい合う内面とその反対側の外面とを有する。前記中央部分は、前記プレート部から前記着用者の背中に向かう方向に凸となる弧を画いて延びる中央板状材料を含み、前記第１、第２側方部分のそれぞれは前記中央板状材料につながり前記着用者の胴周りに向かって凹となる弧を画いて延びる第１、第２側方板状材料のそれぞれを含む。前記中央部分の前記両端部近傍の外面は、前記プレート部における前記着用者と向かい合う内面側に前記ベルト部の延在する方向において摺動可能に当接するとともに、前記第１、第２側方部分それぞれの前記外面に前記プレート部の前記両側縁部それぞれから前記側方に向かって延びる弾性部材の先端部分が取り付けられている。
【００１０】
この発明には、次のような好ましい実施態様がある。
（１）前記弾性部材が前記側方に向かって伸長されている。
（２）前記中央板状材料と前記第１、第２側方板状材料とが、弾性変形可能な金属板状材料および弾性変形可能なプラスチック板状材料の少なくとも一方からなり、前記胴周りベルト部の長さ方向においてほぼＷ字形を成している。
（３）前記胴周りベルト部が前記中央板状材料と、前記第１、第２側方板状材料と、これら板状材料を覆う柔軟な被覆材と、これら板状材料よりも幅の狭い長さ調節可能なベルトとからなる。
（４）前記中央板状材料と、前記第１、第２側方板状材料とがそれぞれ別体の板状材料からなり、前記中央板状材料の両端部においてこれら板状材料がこれらとは別体の連結部材を介してつなげられている。
（５）前記弾性部材が前記胴周りベルト部の延びる方向に長さ調節可能に形成されている。
（６）前記弾性部材が前記プレート部を横断して延びる一条の弾性帯で形成されている。
【００１１】
【発明の実施の形態】
添付の図面を参照して、この発明に係る空気ボンベ背負い具の詳細を説明すると、以下のとおりである。
【００１２】
図１，２は、空気ボンベ背負い具１の前面側斜視図と、後面側部分斜視図である。背負い具１は、仮想線で示された携帯用空気ボンベ１００を取り付けて背負い具着用者が仮想線で示す背中Ｅ（図３を併せて参照）に背負うことのできるプレート部２と、着用者の胴周りＤで締めることのできるベルト部３とを有する。
【００１３】
プレート部２は、着用者の背中Ｅに当接する前面６と、ボンベ１００を当接する後面７と、互いに並行して上下方向へ延びる両側縁部８とを有する他に、頂部の持ち運び用透孔９と、肩掛けひも１１ａ，１１ｂのための挿通孔１２ａ，１２ｂと、ベルト部３のための挿通孔１３とを有し、図１において上下方向へ延びる中心線Ａ−Ａに関して対称に作られている。肩掛けひも１１ａと１１ｂとは、それぞれ着用者の右腕と左腕とを通して肩に掛けることができるように環状を成しているものであるが、図では、肩かけひも１１ａ，１１ｂの一部分のみが示されている。プレート部２の後面７には、空気ボンベ１００に掛け回してこれを固定するためのベルト１５が設けられている。
【００１４】
ベルト部３は、案内部材２１とベルト２２とを有する。案内部材２１はベルト２２が着用者の胴周りＤの周り方向へ向かって一定の高さで延びるように案内することができるもので、プレート部２を中央にしてプレート部２の側縁部８のそれぞれから側方へ延びている。ベルト２２は、案内部材２１よりも幅が狭く、案内部材２１の外面に形成されたベルト通し２４に通されて使用者の胴周り前方へ向かって延びているもので、案内部材２１から僅かに延出する先端部には雄のファスナ部材２６と雌のファスナ部材２７とが取り付けられている。案内部材２１はプレート部２の前面６の側においてプレート部２を横断しており（図３を併せて参照）、ベルト２２はプレート部２の前面６と後面７とに交互に現れるようにプレート部２の複数の挿通孔１３に通されてプレート部２を横断している。ベルト２２の外面側では、プレート部２を横断する弾性部材２８がプレート部２の側縁部８それぞれの近傍に位置する案内部材２１のベルト通し２４ａと２４ａとに掛け回されている。図１において仮想線で示されたベルト部３は、ベルト２２の長さを着用者の胴周りＤに合わせ、一対のファスナ部材２６，２７で連結したときの状態を示している。
【００１５】
図３は、図１のＩＩＩ−ＩＩＩ線切断面の一部分を示す図である。プレート部２の前面６は、着用者の背中Ｅに向かって凹曲面を成し、後面７はボンベ１００に向かって凹曲面を成している。ベルト部３の案内部材２１は、プレート部２を横断するように延びる中央部分３０と、プレート部２の側縁部８から着用者の右側方へ延びる第１側方部分３１と、着用者の左側方へ延びる第２側方部分３２とを有する。中央部分３０は着用者の背中Ｅに向かって凸を成す弧を画き、第１、第２側方部分３１，３２は胴周りＤに向かって凹を成す弧を画いており、中央部分３０と第１側方部分３１とが接続部位３３においてつながり、中央部分３１と第２側方部分３２とが接続部位３４においてつながっている。これら両接続部位３３，３４は、プレート部２の側縁部８の近傍に位置し、その側縁部８が中央部分３０に対して接続部位３３，３４または接続部位３３と３４との間において当接している。案内部材２１は、その厚さ方向断面に現れているように、芯材３６と、芯材３６に対する被覆材３７とを有する。芯材３６は、板状のもので、中央部分３０においてプレート部２に対して弾性的に変形しながら接近するように、つまり矢印Ｐ方向へ動き得るように形成されており、また第１、第２側方部分３１，３２においては胴周りＤに対して弾性的に変形しながら接近するように、つまり矢印Ｂ１で示される方向へ動き得るように形成されている。被覆材３７は、クッション性のあるもので、芯材３６の弾性変形を妨げることがないように芯材３６を覆いかつ変形可能に形成されており、芯材３６が着用者の胴周りＤに強く当接することを防ぐ緩衝材として作用する。プレート部２を横断している一条の帯状の弾性部材２８（図２を併せて参照）は、図３においてプレート部２の左右に位置するベルト通し２４ａと２４ａとに掛け回されるとともに両端部２８ａ，２８ｂが縫合されて環状を成し、好ましくはベルト２２が延びる方向へ弾性的に伸長されている。ベルト通し２４ａのそれぞれは被覆材３７に対して縫合されているから、弾性部材２８が伸長されている場合には、弾性部材２８の収縮力がベルト通し２４ａを介して図示の被覆材３７と芯材３６とに及び、ベルト部３が第１、第２側方部分３１，３２において矢印Ｂ１とは反対の矢印Ｂ２方向へ付勢される。その付勢によって、芯材３６は弾性部材２８の収縮力と釣り合うところまで次のように弾性変形する。すなわち、第１、第２側方部分３１，３２は互いに離間する方向へ動き、またその動きに対応して中央部分３０はプレート部２から背中Ｅに向かって凸となる方向へ動く。接続部位３３，３４は、プレート部２の内面６をベルト部３の延在する方向において中心線Ａ−Ａに接近するように摺動する。弾性部材２８がベルト通し２４ａと２４ａとの間において伸長されていないか、または弾性部材２８の収縮力と芯材３６の弾性的な変形とが既に釣り合っている場合には、ベルト部３は図３の状態にあって矢印Ｂ１方向にも矢印Ｂ２方向にも動くことがない。
【００１６】
背負い具１を着用するときには、着用者の背中Ｅを図１において矢印Ｐ方向からベルト部３の中央部分３０に押し当てるか、またはプレート部２を背中Ｅに引きつけるようにしてベルト部３の中央部分３０を矢印Ｐ方向とは逆の方向から着用者の背中Ｅに押し当てる。図３において、中央部分３０の芯材３６は矢印Ｐ方向からプレート部２に接近して曲率半径が大きくなるように弾性変形し、背中Ｅに向かって凸となる弧を画いていたものが、やがて反転してプレート部２の内面６と同じように背中Ｅに向かって凹となる弧を画くものになる。芯材３６のこのような変形に伴って、図示の接続部位３３，３４は、プレート部２の内面６を摺動して中心線Ａ−Ａからさらに離間する。また、第１、第２側方部分３１，３２は、中央部分３０での芯材３６の反転によって、着用者の胴周りＤへ接近するように矢印Ｂ１方向へ動く。これら第１、第２側方部分３１，３２は、芯材３６が胴周りＤに向かって凹となる弧を画いているものであるから、矢印Ｂ１方向へ動いた第１、第２側方部分３１，３２は、図１，３に仮想線で示されるように胴周りＤを囲み、第１、第２側方部分３１，３２の先端部近傍に位置していた雄と雌のファスナ部材２６，２７が自動的に胴周りＤの前方に来て互いに接近する。ファスナ部材２６，２７とこれと一体のベルト２２とは、プレート部２に対してほぼ一定の高さを保ちながら胴周りＤの周り方向へ延びるように案内部材２１によって支えられているから、互いに接近したこれら両ファスナ部材２６，２７は極めて容易に連結することができて、図１の仮想線の状態になる。両ファスナ部材２６，２７を連結するときに、ベルト２２の長さを予め調整しておくことによって、第１、第２側方部分３１，３２における芯材３６が弾性変形して胴周りＤにフィットする。ベルト部３がこのように動くときに、ベルト通し２４ａと２４ａとに掛け回されている弾性部材２８は、ベルト通し２４ａと２４ａとの間において弾性的に伸長され、第１、第２側方部分３１，３２を矢印Ｂ２方向へ向かってそれだけ強く付勢する。それゆえ、ファスナ部材２６と２７との連結を解くと、第１、第２側方部分３１，３２が互いに離間する矢印Ｂ２方向へ自動的に動いて胴周りＤから離れるので、着用者は背負い具１を容易に外すことができる。第１、第２側方部分３１，３２が矢印Ｂ２方向へ動くことに伴い、図３に仮想線で示されたベルト部３は、実線で示されたベルト部３の状態に復帰する。
【００１７】
図４，５は、この発明の実施態様の一例を示す図１，２と同様な図面である。図示例の空気ボンベ背負い具１のベルト部３では、案内部材２１の両先端部に雄のファスナ部材２６と雌のファスナ部材２７が取り付けられており、これら両部材２６，２７のうちの少なくとも部材２６は、先端部からの距離を調節可能である。この案内部材２１は、図２に示された案内部材２１とベルト２２とを兼ねるもので、図２の弾性部材２８に代わる弾性部材４８を介してプレート部２に取り付けられている。弾性部材４８は、案内部材２１の長さ方向へ伸長可能に延びており、プレート部２の両側縁部８それぞれにおいて、内端部４８ａがプレート部２の挿通孔１３に通されて折り重ねられ、線４９に沿って縫合されている。弾性部材４８の外端部４８ｂは、案内部材２１の外面に対して線５１に沿って縫合されている。かかる弾性部材４８は、伸長状態または非伸長状態にあって、背負い具１が着用されて案内部材２１の第１、第２側方部分３１，３２が互いに接近するように矢印Ｂ１方向へ動くと、弾性部材４８は内端部４８ａと外端部４８ｂとの間が伸長される。そのような案内部材２１では、第１、第２側方部分３１，３２が矢印Ｂ１とは反対の矢印Ｂ２方向へ向かって付勢される。
【００１８】
背負い具１において、プレート部２には、プラスチックや金属等からなる慣用のものを使用することができる。ベルト部３において、案内部材２１を形成している芯材３６には、弾性変形可能な板状のプラスチックや金属を使用することができる。芯材３６は、中央部分３０と第１、第２側方部分３１，３２とにおいて弾性変形の容易さに差異をつけることが可能であり、そのために中央部分３０と第１、第２側方部分３１，３２とで芯材３６の厚さを変えたり、断面形状を変えたりすることができる。さらにはまた、中央部分３０と第１、第２側方部分３１，３２とで芯材３６に種類の異なる板状材料を使用し、それらの板状材料を接続部位３３，３４において適宜の連結手段によってつなぐことができる。案内部材２１を形成している被覆材３７は、織布や織布と発泡プラスチックシート等のクッション材との積層シート等によって作ることができる。ベルト２２や雄と雌のファスナ部材２６，２７には，周知慣用のものを使用することができる。弾性部材２８や４８は、ベルト部３をプレート部２に取り付けるためのものでもあり、また着用状態にあるベルト部３を弾性的に図１や４の状態に復帰させるためのものでもあって、そのような弾性部材２８，４８は、長さ調節可能なものに代えることができる。例えば図３において、弾性部材２８の両端部２８ａと２８ｂとをバックルによって長さ調節可能に連結することができる。また、弾性部材は、図２，３の如く一本の帯状弾性部材２８からなるものではなくて、図５の如くプレート部２の側縁部８それぞれに取り付けた２本の別体の弾性部材４８からなるものであってもよい。さらにはまた、図２の弾性部材２８をおよそ半分の長さのものに代えてプレート部２をまたがせたのちに、その弾性部材２８の端部それぞれをベルト通し２４ａそれぞれの外面に縫合してもよい。弾性部材２８，４８もまたゴム製の帯片等の周知慣用材料を使用して作ることができる。
【００１９】
【発明の効果】
このように形成されるこの発明の空気ボンベ背負い具は、ベルトが案内部材によって着用者の胴周り方向前方へ導かれているから、着用するときにベルトがプレート部と着用者の背中とに挟まれて着用に手間がかかる、ということがない。また、ベルトどうしをつなぐためのファスナ部材は、案内部材の弾性変形によって自動的に着用者の胴周り方向の前方に来るから、ファスナ部材どうしを速やかに連結することができる。ファスナ部材の連結を解くと、ベルトが案内部材とともに自動的に胴周りから離れるから、着用した背負い具を胴周りから外すのに手間がかからない。
【図面の簡単な説明】
【図１】空気ボンベ背負い具の前面側斜視図。
【図２】空気ボンベ背負い具の後面側部分斜視図。
【図３】図１のＩＩＩ−ＩＩＩ線切断面の一部分を示す図。
【図４】実施態様の一例を示す図１と同様な図。
【図５】実施態様の一例を示す図２と同様な図。
【符号の説明】
１      空気ボンベ背負い具
２      プレート部
３      胴周りベルト部
８      側縁部
２２      ベルト
２８      弾性部材
３０      中央部分
３１      第１側方部分
３２      第２側方部分
３６      板状材料（芯材）
３７      被覆材
１００      空気ボンベ
Ｄ      胴周り
Ｅ      背中
【図１】
2004330843.tif 000003
【図２】
2004330843.tif 000004
【図３】
2004330843.tif 000005
【図４】
2004330843.tif 000006
【図５】
2004330843.tif 000007